(57)【要約】      （修正有）【課題】階段下の空間を様々な収納物の収納スペースとして有効利用することができるとともに、階段の造作工事を不要として工期の短縮を図り、量産による品質の均一化とコストの低減化を可能とする建物の収納ユニット階段を提供する。【解決手段】幅Ｌが同一で高さが異なる複数の縦型収納ボックス状に縦型ユニットを形成し、縦型ユニットと同一の幅Ｌで、複数段の階段状に階段ユニット２０を形成し、高さの順に縦型ユニットを並置し、階段ユニット２０を、始端の縦型ユニット１０ａの側方に並置するとともに、各縦型ユニット１０ａ、１０ｂ、１０ｃ上に載置し、各ユニット１０ａ、１０ｂ、１０ｃ、２０を連結固定して設置することを特徴とする。【選択図】図１
0003169712.tif 000002
【実用新案登録請求の範囲】
【請求項１】
幅Ｌが同一で高さが異なる複数の縦型収納ボックス状に縦型ユニット１０を形成し、縦型ユニット１０と同一の幅Ｌで、複数段の階段状に階段ユニット２０を形成し、
高さの順に縦型ユニット１０を並置し、階段ユニット２０を、始端の縦型ユニット１０ａの側方に並置するとともに、各縦型ユニット１０ａ、１０ｂ、１０ｃ上に載置し、各ユニット１０ａ、１０ｂ、１０ｃ、２０を連結固定して設置することを特徴とした建物の収納ユニット階段。
【請求項２】
縦型ユニット１０を、前面に見開きの扉１１を設けたロッカー形状とした請求項１に記載の建物の収納ユニット階段。
【請求項３】
階段ユニット２０を収納ボックス状に形成し、適宜区切られた枠内に引き出し２２を設けた整理タンス形状とした請求項１又は２に記載の建物の収納ユニット階段。
【請求項４】
階段ユニット２０を３段の階段状に形成し、３体の縦型ユニット１０ａ、１０ｂ、１０ｃで構成した請求項１、２又は３に記載の建物の収納ユニット階段。
【考案の詳細な説明】
【技術分野】
【０００１】
この考案は、建物の階段を収納ユニットの組み合わせで構成する建物の収納ユニット階段に関するものである。
【背景技術】
【０００２】
住宅や店舗等の建物の階段下の空間を収納スペースとして利用する様々な工夫がされている。最も単純な方法は、階段の側壁に収納物を出し入れする開口を設け、階段下の空間をそのまま納戸として使用することである。また、特許文献１等に示すような階段下収納装置も提案され、各種の階段下収納装置が建材メーカーから販売されている。さらに、古来の町屋建築において、引き出しや戸棚を階段状に形成した階段箪笥と称される構造も知られている。
【特許文献１】特開２０００−１５４６４０号公報
【考案の概要】
【考案が解決しようとする課題】
【０００３】
階段下の空間を納戸として使用する場合、収納物が仕切られず、形状やサイズが異なる多様な収納物の整理には不向きである。また、階段下収納装置を階段下に設ける手段は、階段の造作工事の他にこの収納装置の設置工事が必要となり、工事作業量が増大してコストが高価である。さらに、階段箪笥は意匠的には趣があるが、これを個別の建具工事で行えば極めてコスト高となり、完成度は建具職人の技量に依存し、趣味的な建物のみに適用する手段である。
【０００４】
この考案は、こうした課題を解決することを目的とするもので、階段下の空間を様々な収納物の収納スペースとして有効利用することができるとともに、階段の造作工事を不要として工期の短縮を図り、量産による品質の均一化とコストの低減化を可能とする建物の収納ユニット階段を提案するものである。
【課題を解決するための手段】
【０００５】
こうした課題を解決するため、この考案の建物の収納ユニット階段は、幅Ｌが同一で高さが異なる複数の縦型収納ボックス状に縦型ユニット１０を形成し、縦型ユニット１０と同一の幅Ｌで、複数段の階段状に階段ユニット２０を形成する。そして、高さの順に縦型ユニット１０を並置し、階段ユニット２０を、始端の縦型ユニット１０ａの側方に並置するとともに、各縦型ユニット１０ａ、１０ｂ、１０ｃ上に載置し、各ユニット１０ａ、１０ｂ、１０ｃ、２０を連結固定して設置することを特徴とするものである。
【０００６】
また、縦型ユニット１０を、前面に見開きの扉１１を設けたロッカー形状とするものである。
【０００７】
また、階段ユニット２０を収納ボックス状に形成し、適宜区切られた枠内に引き出し２２を設けた整理タンス形状とするものである。
【０００８】
また、階段ユニット２０を３段の階段状に形成し、３体の縦型ユニット１０ａ、１０ｂ、１０ｃで構成するものである。
【考案の効果】
【０００９】
この考案の建物の収納ユニット階段は、高さが異なる複数の縦型ユニット１０ａ、１０ｂ、１０ｃと階段ユニット２０とで構成され、各ユニット１０ａ、１０ｂ、１０ｃ、２０を連結固定するだけで階段工事が完了し、煩雑な造作工事を不要として工期の短縮を図ることができる。各ユニット１０ａ、１０ｂ、１０ｃ、２０は、量産による品質の均一化とコストの低減化が図られるとともに、ボックス状であるから連結により堅固に固定され、建物の床面及び壁面に適宜手段で固定することで、この考案の収納ユニット階段を所定の位置に容易に設置可能である。
【００１０】
また、縦型ユニット１０をロッカー形状とすることで、長尺物の収納や洋服タンスとして使用することができ、階段ユニット２０を引き出し２２を設けた整理タンス形状として組み合わせれば、形状やサイズが異なる多様な収納物が整理され、階段下の空間を様々な収納物の収納スペースとして有効利用することができる。このように、この考案の建物の収納ユニット階段は、工事の簡素化、工期の短縮、コストの低減、スペースの有効利用、意匠的な面白さ等の特徴を有し、特にプレハブの建物や小住宅、小型店舗やメゾネット型集合住宅等への適用が効果的である。
【図面の簡単な説明】
【００１１】
【図１】この考案の実施例の正面図。
【図２】縦型ユニットの斜視図。
【図３】階段ユニットの斜視図。
【図４】設置例を示す斜視図。
【考案を実施するための形態】
【００１２】
以下に、この考案を実施するための最良の形態について、図面を用いて説明する。
図面はこの考案の実施例で、３体の縦型ユニット１０ａ、１０ｂ、１０ｃと４体の階段ユニット２０を用いて、図１に示す収納ユニット階段を構成するものである。縦型ユニット１０は縦型収納ボックス状に形成され、幅Ｌが同一で高さが異なり、階段の上昇に伴って高さ寸法が順次大きく設定されている３体の縦型ユニット１０ａ、１０ｂ、１０ｃが用いられている。図２に示すように、縦型ユニット１０は、前面に見開きの扉１１を設けたロッカー形状に形成されている。
【００１３】
図３に示すように、階段ユニット２０は、３段の踏板面２１を設けた３段階段収納ボックス状に形成され、適宜区切られた枠内に引き出し２２を設けた整理ダンス形状とされている。階段ユニット２０の幅Ｌは縦型ユニット１０の幅Ｌと同一に設定され、階段ユニット２０の奥行も縦型ユニット１０の奥行と同一に設定され、したがって、階段ユニット２０の底板は縦型ユニット１０の天板と寸法が合致している。また、階段ユニット２０の高さは、縦型ユニット１０間の高さの差異に設定されている。
【００１４】
この収納ユニット階段は、高さの順に縦型ユニット１０を所定の位置に並置し、階段ユニット２０を、始端の縦型ユニット１０ａの側方に並置するとともに、各縦型ユニット１０ａ、１０ｂ、１０ｃ上に載置し、各ユニット１０ａ、１０ｂ、１０ｃ、２０を連結固定して設置する。縦型ユニット１０と階段ユニット２０の寸法関係が上記のように設定されているので、踏板面２１が階段状に連続する。各ユニット１０ａ、１０ｂ、１０ｃ、２０はボックス状であるから連結により堅固に固定され、建物の床面及び壁面に適宜手段で固定し、この収納ユニット階段は所定の位置に設置される。
【００１５】
図４は、この収納ユニット階段を建物のロフト３０への昇降に用いる設置例を示す。図に示すように、オープン型、直線状の階段として簡単に設置することができる。なお、図示の設置例では手摺り３２を建物の壁面に固定しているが、踏板面２１の側端部に支柱を立設し、オープン側に手摺りを設けてもよい。
【００１６】
以上、実施例について説明したが、この考案の建物の収納ユニット階段はこれに限定されるものではない。例えば、実施例に示した直進階段の他、階段の途中に踊り場を設けたり、折り返し階段や回り階段としての施工も可能であり、この考案の収納ユニット階段を建物の階段の一部に適用するなどの手段も含むものである。
【符号の説明】
【００１７】
１０、１０ａ、１０ｂ、１０ｃ  縦型ユニット
１１  扉
２０  階段ユニット
２２  引き出し
【図１】
0003169712.tif 000003
【図２】
0003169712.tif 000004
【図３】
0003169712.tif 000005
【図４】
0003169712.tif 000006